(57)【要約】【課題】釣り用仕掛けを台紙から外す際に、釣り針が隣の釣り針などに引っ掛かって外れなくなってしまう可能性を減少させる。【解決手段】幹糸１と、幹糸１の長手方向に順次接続された複数本の枝糸２と、各枝糸２の先端に設けられた釣り針３とを備えた釣り用仕掛けを取り付けるための台紙５であって、針係止部６が台紙５の左右方向に複数個設けられ、幹糸係止部７が台紙５の左右方向に複数個設けられる。隣合う針係止部６が台紙５の上下方向において異なる位置に設けられる。【選択図】          図１
2006034203.tif 000002
【特許請求の範囲】
【請求項１】
幹糸と、幹糸の長手方向に順次接続された複数本の枝糸と、各枝糸の先端に設けられた釣り針とを備えた釣り用仕掛けを取り付けるための台紙において、
釣り針を係止することができる針係止部が台紙の左右方向に複数個設けられ、幹糸を係止することができる幹糸係止部が台紙の左右方向に複数個設けられたものであり、
針係止部と幹糸係止部とが台紙の上下方向に所定間隔を隔てて設けられ、且つ、隣合う針係止部が台紙の上下方向において異なる位置に設けられたものであることを特徴とする釣り用仕掛けの台紙。
【請求項２】
各針係止部は、左の針係止部から右の針係止部に向かうに従って、順次上下方向の上又は下にずれて配位されることにより、これらの針係止部が斜め方向に配列されたものであることを特徴とする請求項１記載の釣り用仕掛けの台紙。
【請求項３】
台紙の上下方向に対して斜め方向に折り目線が形成され、
上記の各幹糸係止部は、この折り目線によって二つに区分された台紙の上側部分と下側部分の両側に渡って形成された切り目であり、両側の切り目は折り目線において連続し且つ屈曲しているものであり、両側の切り目は折り目線を中心に線対称であることを特徴とする請求項１又は２記載の釣り用仕掛けの台紙。
【請求項４】
幹糸と、幹糸の長手方向に順次接続された複数本の枝糸と、各枝糸の先端に設けられた釣り針とを備えた釣り用仕掛けを、請求項１〜３の何れかに記載の釣り用仕掛けの台紙に取り付けたものであって、
幹糸の一端寄りの釣り針から他端寄りの釣り針に向かうに従って、台紙の左右方向の一方側から他方側の針係止部に順次係止され、隣合う枝糸間の幹糸が二つに折り返された状態で幹糸係止部に係止され、
少なくとも一つの枝糸の長が、他の枝糸の長さと異なるものであり、隣合う枝糸の長さの差が、隣合う針係止部の台紙の上下方向の間隔に略等しく設定されることにより、各枝糸と幹糸との接続部が、台紙の上下方向にて略等しい位置に配位されたものであることを特徴とする台紙に取り付けられた釣り用仕掛け。
【発明の詳細な説明】
【技術分野】
【０００１】
本願発明は、釣り用仕掛けとその台紙に関するもである。
【背景技術】
【０００２】
従来より、幹糸と、幹糸の長手方向に順次接続された複数本の枝糸と、各枝糸の先端に設けられた釣り針とを備えた釣り用仕掛けは、サビキ釣りなどに広く使用されている。この種の仕掛けは、特許文献１にて提案されている台紙に取り付けて販売される。この従来の台紙は、図５に示すように、台紙１０１の上端側に釣り針２０１を係止することができる針係止部１０２が設けられ、台紙１０１の下端側に幹糸２０２を係止することができる幹糸係止部が１０３が設けられている。針係止部１０２は、台紙１０１の左右方向に複数個（この例では４個）設けられ、幹糸係止部１０３は、台紙１０１の左右方向に複数個（この例では５個）設けられたものである。針係止部１０２は、合成樹脂板に形成された凹部であり、この凹部の一つ一つに、各針２０１を引っ掛ける。幹糸係止部１０３は、台紙を折り目線１０４から二つ折りにして、その上下に渡って切り目を入れたもので、糸を係止する際には、二つ折りの状態で、係止完了後は、図のように伸ばした状態で使用される。針２０１は枝糸２０３の先端に取り付けられ、枝糸２０３の基端は幹糸２０２に所定間隔を置いて接続部２０４にて接続されている。
【０００３】
この仕掛けの台紙に対する取付状態をさらに詳しく説明すると、幹糸２０２は、その一端２０２ａが、台紙１０１の上端に設けられた幹糸端係止用切り込み１０５に係止され、下方に伸ばされて、幹糸係止部１０３ａに係止され、その下方で折り返される。折り返された幹糸２０２は、同じ幹糸係止部１０３ａに係止され、ループ２０２ｂを形成すると共に、上方に伸ばされる。上方に伸ばされた幹糸２０２は、接続部２０４ａで下方に折り返される。接続部２０４ａから伸びる枝糸２０３ａは、上方に伸ばされ、その先端の釣り針２０１ａが針係止部１０２ａに係止される。接続部２０４ａから下方に折り返された幹糸２０１は、隣の幹糸係止部１０３ｂに係止されるものであり、以下、同様の状態で、順次幹糸の一端から他端まで係止されるものである。
【０００４】
この台紙１０１から仕掛けを取り外しするには、幹糸２０１の一端２０２ａを幹糸端係止用切り込み１０５から外して上に引っ張る。すると、ループ２０２ｂが小さくなっていって、さらに引くと幹糸係止部１０３ａから幹糸２０１が外れる。さらに引き続けると、隣のループ２０２ｃが小さくなって、接続部２０４ａが上昇し、枝糸２０３ａが弛んだ状態となる。この状態を描いたのが、図５の左半分である。そして、さらに引き上げると、接続部２０４ａがさらに上昇して、枝糸２０３が引き上げられ、その先端の釣り針２０１ａが引き上げられるようにして、針係止部１０２ａから外れるものである。このようにして、幹糸２０２を引き上げ続けるだけで、順次釣り針２０１が針係止部１０２から外れて、全ての釣り針２０１が外れるものである。
この釣り針２０１が針係止部１０２から外れるとき、枝糸２０３には弾力性があるため、外れた釣り針２０１が真上に引き上げられずに、横に移動して、隣の釣り針２０１等にひっかかってしまうおそれがあり、うまく針が引き上げられなかったり、糸がもつれてしまうおそれがある。
【０００５】
次に、従来の台紙１０１にあっては、複数個の針係止部１０２が、左右方向の横一列に配列されている。他方、特許文献２に示されるように、各枝糸２０３の長さが一定でなく、長さの異なる枝糸を設けた釣り用仕掛けが提案されている。このように枝糸の長さが異なると、接続部２０４の位置が不揃いになってしまうという不都合が生じる。
【０００６】
さらに、従来の台紙１０１にあっては、折り目線１０４が左右方向に伸ばされていたため、折り目線１０４を折り曲げても、伸ばしても、いずれの場合にも幹糸係止部１０３が直線状となっていた。そのため、台紙を折り目線１０４から二つ折りにして、幹糸２０２を各幹糸係止部１０３に係止した後、折り目線１０４を伸ばす際に、係止して幹糸２０２が幹糸係止部１０３から外れてしまう場合があった。
【０００７】
【特許文献１】特開平０８−３３２０１２号公報
【特許文献２】特開２００３−２５０４０９号公報
【発明の開示】
【発明が解決しようとする課題】
【０００８】
本願発明の第１の目的は、釣り用仕掛けを台紙から外す際に、釣り針が隣の釣り針などに引っ掛かって外れなくなってしまう可能性を減少させ、より円滑に仕掛けを台紙から外せるようにした釣り用仕掛けとその台紙の提供を図ることにある。
本願発明の第２の目的は、長さの異なる複数の枝糸を設けた釣り用仕掛けを取り付けた場合にあっても、幹糸と各枝糸との接続部の位置が揃うようにするなど、所望の位置に接続部を配位し得る釣り用仕掛けとその台紙の提供を図ることにある。
本願発明の第３の目的は、幹糸を幹糸係止部に係止し易く、且つ、確実に係止状態を維持し易くした釣り用仕掛けとその台紙の提供を図ることにある。
【課題を解決するための手段】
【０００９】
そこで本願の第１の発明は、幹糸１と、幹糸１の長手方向に順次接続された複数本の枝糸２と、各枝糸２の先端に設けられた釣り針３とを備えた釣り用仕掛けを取り付けるための台紙５において、釣り針３を係止することができる針係止部６が台紙５の左右方向に複数個設けられ、幹糸１を係止することができる幹糸係止部７が台紙５の左右方向に複数個設けられたものであり、針係止部６と幹糸係止部７とが台紙５の上下方向に所定間隔を隔てて設けられ、且つ、隣合う針係止部６が台紙５の上下方向において異なる位置に設けられたものであることを特徴とする釣り用仕掛けの台紙５を提供することにより、上記の課題を解決する。
本願の請求項２に係る発明は、請求項１記載の釣り用仕掛けの台紙５において、各針係止部６は、左の針係止部６から右の針係止部６に向かうに従って、順次上下方向の上又は下にずれて配位されることにより、これらの針係止部６が斜め方向に配列されたものであることを特徴とするものを提供する。
本願の請求項３に係る発明は、請求項１又は２記載の釣り用仕掛けの台紙５において、台紙５の上下方向に対して斜め方向に折り目線９が形成され、上記の各幹糸係止部７は、この折り目線９によって二つに区分された台紙５の上側部分と下側部分の両側に渡って形成された切り目７１、７２であり、両側の切り目７１、７２は折り目線９において連続し且つ屈曲しているものであり、両側の切り目７１、７２は折り目線９を中心に線対称であることを特徴とするものを提供する。
本願の請求項４に係る発明は、幹糸１と、幹糸１の長手方向に順次接続された複数本の枝糸２と、各枝糸２の先端に設けられた釣り針３とを備えた釣り用仕掛けを、請求項１〜３の何れかに記載の釣り用仕掛けの台紙５に取り付けたものであって、幹糸１の一端寄りの釣り針３から他端寄りの釣り針３に向かうに従って、台紙５の左右方向の一方側から他方側の針係止部６に順次係止され、隣合う枝糸２間の幹糸１が二つに折り返された状態で幹糸係止部７に係止され、少なくとも一つの枝糸２の長さが、他の枝糸２の長さと異なるものであり、隣合う枝糸２の長さの差が、隣合う針係止部６の台紙５の上下方向の間隔に略等しく設定されることにより、各枝糸２と幹糸１との接続部２０が、台紙５の上下方向にて略等しい位置に配位されたものであることを特徴とする台紙５に取り付けられた釣り用仕掛けを提供する。
【発明の効果】
【００１０】
本願の請求項１乃至３に係る発明は、釣り用仕掛けを台紙から外す際に、釣り針が隣の釣り針などに引っ掛かって外れなくなってしまう可能性を減少させ、より円滑に仕掛けを台紙から外せるようにした釣り用仕掛けの台紙を提供することができたものである。また、この台紙は、長さの異なる複数の枝糸を設けた釣り用仕掛けを取り付けた場合にあっても、幹糸と各枝糸との接続部の位置が揃うようにするなど、所望の位置に接続部を配位し得るものである。
さらに請求項３に係る発明にあっては、幹糸を幹糸係止部に係止し易く、且つ、確実に係止状態を維持し易くした釣り用仕掛けの台紙を提供することができたものである。
請求項４に係る発明にあっては、これらの効果を発揮する台紙に取り付けられた釣り用仕掛けを提供することができたものである。
【発明を実施するための最良の形態】
【００１１】
以下、図面に基づき本願発明の実施の形態を説明する。
図１は本願発明の実施の形態に係る釣り用仕掛けを取り付けた台紙の展開状態の正面図であり、図２は同台紙に釣り用仕掛けを取り付ける際の折り曲げ状態を示す正面図であり、図３は同台紙に釣り用仕掛けて包装する際の折り曲げ状態を示す正面図であり、図４は同台紙に取り付けられる釣り用仕掛けの説明図である。
【００１２】
まず、図４に基づき、この台紙に取り付けられる釣り用仕掛けについて、説明する。釣り用仕掛けは、幹糸１と、幹糸１の長手方向に順次接続された複数本の枝糸２と、各枝糸２の先端に設けられた釣り針３とを備えた釣り用仕掛けであれば、種々のものを使用できるが、この例では、下記の構成を有する。
【００１３】
図４において、Ｕは上方を、Ｓは下方を、Ｌは左方を、Ｒは右方を、示している。なお、本願において、上下左右は位置関係は相対的なものにすぎず、絶対的な位置関係として限定して理解すべきでない。
【００１４】
この仕掛けは、幹糸１と、先端に釣針３…３（３ａ，３ｂ，３ｃ，３ｄ，３ｅ）が取り付けられた複数の枝糸２…２（２ａ，２ｂ，２ｃ，２ｄ，２ｅ）と、幹糸１の基端（上端）及び先端（下端）に取り付けられたサルカン等の第１及び第２ヨリ防止手段１２，１３と、第１及び第２ヨリ防止手段１２，１３の夫々に設けられた第１及び第２スイベル１４，１５とを備える。尚、図４においては、幹糸１の長さ、幹糸１に対する各枝糸２…２（２ａ，２ｂ，２ｃ，２ｄ，２ｅ）の長さは、現実よりも短く描いてある。
【００１５】
釣針３…３（３ａ，３ｂ，３ｃ，３ｄ，３ｅ）の夫々は、必要に応じて疑似餌３０を備える。使用に際しては、上端側を釣り人からの道糸に接続し、必要に応じて、道糸と第１スイベル１４との間に、撒き餌を収容するカゴ（図示せず）が取り付けられる。また、第２スイベル１５には、錘（図示せず）が取り付けられる。
【００１６】
各枝糸２…２（２ａ，２ｂ，２ｃ，２ｄ，２ｅ）は、幹糸１に対し幹糸１の長手方向ｎについて間隔を開けて設けられている。即ち、枝糸２…２（２ａ，２ｂ，２ｃ，２ｄ，２ｅ）の基端は幹糸１に結び付けられて接続されている。以下、この接続した部分を接続部２０…２０という。各枝糸２は、幹糸１の長手方向ｎについて間隔を開けて、幹糸１に結ばれているもので、この例では、隣合う接続部２０…２０の間隔は、上端側に向かうに従って小さく設定されている。但し、等間隔にしたり、あるいは上端側に向かうに従って大きく設定するなど、変更可能である。
【００１７】
上記の枝糸２…２については、、幹糸１の先端側に設けられた枝糸２のほうが、幹糸１の基端側に即ち竿側に設けられた枝糸２よりも長い。即ち、この図４に即して説明すると、枝糸２の長さは、ｗ１＞ｗ２＞ｗ３＞ｗ４＞ｗ５の関係が成り立つ。
ただし、枝糸２の長さは、幹糸１の上端側から幹糸１の下端側に向けて漸次、長くなって行くようにしてもよく、全ての枝糸２の長さを等しいものにしてもよい。
【００１８】
次に、図１〜図３を参照して、台紙５について説明する。
この台紙５は、厚紙や合成樹脂シートによって構成された長方形状のシートであり、台紙５の上端側に釣り針３を係止することができる針係止部６が設けられ、台紙５の下端側に幹糸１を係止することができる幹糸係止部７が設けられている。
【００１９】
針係止部６は、台紙５の左右方向に複数個（この例では５個）が所定間隔で設けられ、幹糸係止部７は、台紙５の左右方向に複数個（この例では６個）が所定間隔で設けられたものである。針係止部６は、合成樹脂板等の針係止用部材６１に形成された凹部であり、この例では、全ての針係止部６を１枚の針係止用部材６１上に形成し、これを台紙５に取り付けているが、１つの針係止用部材を１つの針係止部を設けて、複数の針係止用部材を複数並べて設けるようにしてもよい。また、別体の針係止用部材を用いずに、台紙５に係止用の切り込みや孔を設けてもよい。
【００２０】
これらの針係止部６は、台紙５の左右方向に複数個設けられるものであるが、左右に隣合う針係止部６が台紙の上下方向において異なる位置に設けられている。この例では、各針係止部６は、左の針係止部６から右の針係止部６に向かうに従って、順次上下方向の下にずらして（右下がりにずらして）斜め方向に配列されたものであるが、上にずらして（右上がりにずらして）配位してもよい。傾斜の角度は、適宜変更し得るが、２０〜７０度程度、より望ましくは３０〜６０度が適当である。また、一方向のみに傾斜さているが、中央から右は右下がりに、中央から左は左下がりにというように、左右対称の山形にしてもよい。また、上、下、上、下と、交互に上下方向の位置を異なるようにしてもよい。
【００２１】
各針係止部６の形状は、針を係止できるものであれば、種々変更し得る。この例では、下方向に針が移動せず、上方向に針が移動できる形状としたもので、Ｕ字状の切り込みを、針係止用部材６１の斜辺（上下方向に対して傾斜した辺）に設けたものであるが、Ｖ字状にしたり、波形にしたりするなど、適宜変更し得る。
【００２２】
次に、幹糸係止部７は、台紙を折り目線９から二つ折りにして、その上下に渡って切り目を入れたもので、この折り目線９を台紙の上下方向に対して傾斜させたものである（以下、この折り目線９を、傾斜折り目線９という）。
図２に示すように、この傾斜折り目線９から折り曲げられた二つ折りの状態で、上下方向に切り目が入れられる。これにより、傾斜折り目線９を伸ばすと、図１に示すように、「く」の字状に折曲した幹糸係止部７となる。即ち、幹糸係止部７は、傾斜折り目線９によって二つに区分された台紙の上側部分と下側部分の両側に渡って形成された切り目７１、７２であり、両側の切り目７１、７２は傾斜折り目線９において連続し且つ屈曲しているものであり、両側の切り目７１、７２は傾斜折り目線９を中心に線対称となっている。そして、この幹糸係止部７は、傾斜折り目線９から折り曲げられた二つ折りの状態で、上下方向に切り目が入れられたものであるため、上側部分の切り目７１は、上下方向に伸びているのに対して、下側部分の切り目７２は、上下方向に対して傾斜して伸びている。ただし、必ずしも上下方向に切り目を入れるものに限る必要はなく、上下方向に対して１０〜２０度程傾斜させて切り目を入れるようにしてもよい。
【００２３】
傾斜折り目線９の角度は、台紙の上下方向に対して、２０〜８０度、より望ましくは３０〜７０度程度が適当であるが、この角度も適宜変更して実施可能である。また、この例では、各針係止部６は、上記のように右下がりの斜め方向に配列されているのに対して、傾斜折り目線９は、右上がりに傾斜しているものとして実施しているが、傾斜折り目線９を右下がりに傾斜させてもよい。即ち、針係止部６と傾斜折り目線９との傾斜方向は、同方向の傾斜でも逆方向の傾斜でもよい。
【００２４】
次に、針係止部６と傾斜折り目線９との間には、中央折り目線８が形成されている。この中央折り目線８は、図３に示すように、台紙を二つ折りにして袋体などに収納して販売し、使用するために形成されるもので、台紙を長いまま使用するのであれば、省略して実施し得る。なお、釣り糸の係止と解除に関しても、台紙を折っても、折らなくても、本質的な機能には変わりがない。
【００２５】
最後に台紙５の上辺には、幹糸の始端寄りと終端寄りとを係止するための、端部係止部１０ａ、１０ｂが設けられている。この端部係止部は、台紙の下辺１０ｃ、１０ｄにも設けられているが、これは、中央折り目線８から二つ折りにした際に、上下の端部係止部同士（左側の端部係止部１０ａと１０ｃ、及び、右側の端部係止部１０ｂと１０ｄ）とが合致し、各上下の端部係止部に糸の始端と終端のそれぞれを係止できるようにしたものであり、必ずしも設ける必要はない。また、端部係止部の位置は、上下辺に限らず、側辺に設けても良く、まったく設けずに実施することも不可能ではない。
【００２６】
以上の台紙５に対して、前述の仕掛けが取り付けられる。取付の構成自体は従来の台紙と同じであり、図１に示すように、幹糸１は、その一端１ａが、台紙５の上端に設けられた端部係止部（１０ａ又は１０ｂ）に係止され、下方に伸ばされて、幹糸係止部７に係止され、その下方で折り返される。折り返された幹糸１は、同じ幹糸係止部７に係止され、ループ１ｂを形成すると共に、上方に伸ばされる。上方に伸ばされた幹糸１は、接続部２０で下方に折り返される。接続部２０から伸びる枝糸２は、上方に伸ばされ、その先端の釣り針３が針係止部６に係止される。接続部２０から下方に折り返された幹糸１は、隣の幹糸係止部７に係止されるものであり、以下、同様の状態で、順次幹糸の一端から他端まで係止されるものであり、幹糸の他端は、他方の端部係止部（１０ｂ又は１０ａ）に係止される。
【００２７】
この台紙５への取付に際しては、傾斜折り目線９から台紙５を二つ折りにして、ループ状にした幹糸１を係止する。その際、二つ折りにすることによって、上側部分と下側部分の両側に渡って形成された両側の切り目７１、７２が、二重に重なるものとなり、しかも、この例では上下方向に伸びているため、切り目に幹糸１を円滑に差し込むことができる。
他方、係止完了後は、傾斜折り目線９を伸ばすことにより、両切り目７１、７２が屈曲し、上側部分の切り目７１の上端と下側部分の切り目７２の下端とを結んだ線が、それより上の幹糸１に対して角度を有するものとなり、幹糸１（特に、幹糸のループ１ｂ）が、幹糸係止部７から外れにくいものとなる。
【００２８】
最後に、この例では、仕掛けの各枝糸２（２ａ〜２ｅ）の長さの差は、各針係止部６の上下方向の長さの差に略等しく、設定されている。例えば、最も短い枝糸２ａの長さｗ１から最も長い枝糸２ｅの長さｗ５にいくにつれて、１cmずつ長くなっていくとすると、最も下方の針係止部６から最も上方の針係止部６へは、隣合う針係止部６間の上下方向の位置は、１cmずつ上方に位置するものとなっている。
その結果、各枝糸２と幹糸１との接続部２０の位置は、上下方向において略揃うものとなり、接続部は横一列に並ぶものとなる。これにより、各枝糸２の長さの差が、消費者にとって見やすいものとなることは勿論、例えば、一つの接続部２０の位置が中央折り目線８より下方となってしまったりして糸を引き出しくくなると言ったことが防止される。
このように、針係止部６の上下方向位置を互いに異なるようにすることによって、接続部２０の位置を所望の位置に配位することができるものである。
【００２９】
以上、図１のように仕掛けの取付が完了した台紙から、仕掛けを外すには、次の方法が用いられる。幹糸１の一端（望ましくは、最上方に位置する針係止部６に近い方の一端）を台紙の左側の端部係止部１０ａから外して、上方に引き上げる。これにより、図の最も左寄りのループ１ｂが小さくなって、最も左寄りの幹糸係止部７から幹糸１が抜けて、さらに上方に引く事によって、釣り針３が最も左寄り（最も上方）の針係止部６から外れる。その際、釣り針３は横方向に動いたりする場合もあるが、その隣の針係止部６は、下方に位置するものであるため、針が隣の針係止部６にひっかかってしまうといった事が防止されるものである。以下、幹糸１を上方に引くだけで、順次各釣り針３が針係止部６から円滑に外れていくものである。
【００３０】
なお、販売などに際しては、中央折り目線８から台紙５を二つ折りにしてもよく、この場合においても、仕掛けの外し方は上記と同様に行うことができる。
以下、本願発明は、上記の実施の形態に限定されるものではなく、種々変更して実施し得る。例えば、枝糸の数や長さは、適宜変更して実施できるものであり、また、１つの台紙に複数組の仕掛けを取り付けるようにしてもよい。幹糸の下端に釣り針を設けた仕掛けとして実施することも可能であり、この場合には、針係止部の数を一つ増やすようにすればよい。
【産業上の利用可能性】
【００３１】
以上、本願発明は、円滑な仕掛けの取り外しなどの諸効果を発揮する釣り用仕掛けとその台紙の提供を図ることができたものであり、業務上、若しくはレジャー用の釣り具として広く利用し得る。
【図面の簡単な説明】
【００３２】
【図１】本願発明の実施の形態に係る釣り用仕掛けを取り付けた台紙の展開状態の正面図である。
【図２】同台紙に釣り用仕掛けを取り付ける際の折り曲げ状態を示す正面図である。
【図３】同台紙に釣り用仕掛けて包装する際の折り曲げ状態を示す正面図である。
【図４】同台紙に取り付けられる釣り用仕掛けの説明図である。
【図５】従来の釣り用仕掛けを取り付けた台紙の正面図である。
【符号の説明】
【００３３】
１    幹糸
２    枝糸
２０  接続部
３    釣り針
５    台紙
６    針係止部
７    幹糸係止部
７１  切り目
７２  切り目
９    折り目線（傾斜折り目線）
【図１】
2006034203.tif 000003
【図２】
2006034203.tif 000004
【図３】
2006034203.tif 000005
【図４】
2006034203.tif 000006
【図５】
2006034203.tif 000007